(57)【要約】【課題】  可動フードの緩み止め効果を高めることができるとともに、握り易く疲れ難いリールシートを構築できる釣り竿を提供する点にある。【解決手段】  リールシートＢに形成したネジ部４に螺進自在に可動フード５を装着するとともに、リールシートＢにおけるリール脚取付部とは竿軸芯Ｘを挟んで反対側の面に、シート状の弾性材１１を被覆するとともにそのシート状の弾性材１１をネジ部４に被覆してある。【選択図】        図１
2006187241.tif 000002
【特許請求の範囲】
【請求項１】
リールシートに形成したネジ部に螺進自在に可動フードを装着するとともに、前記リールシートにおけるリール脚取付部とは竿軸芯を挟んで反対側の面に、弾性材を被覆するとともにその弾性材を前記ネジ部に対してそのネジの形状に沿った状態で被覆してある釣り竿。
【請求項２】
リールシートにリール脚取付部を有するシートベースと可動フードを螺進自在に装着するネジ部とを形成するとともに、前記シートベースにおけるリール脚取付部とは竿軸芯を挟んで反対側に、前記シートベースの一部と前記ネジ部の一部を切欠いた切欠部を形成し、前記シートベースの一部と前記ネジ部の一部に相当する部分を一体形成した弾性材を前記切欠部に嵌め込み装着してある釣り竿。
【請求項３】
前記リールシートが竿材とは別個に構成されるものであり、固定フードと前記ネジ部を一体形成した筒状リールシートである請求項１又は２記載の釣り竿。
【発明の詳細な説明】
【技術分野】
【０００１】
本発明は、元竿にリールシートを有している釣り竿に関する。
【背景技術】
【０００２】
可動フードの螺進構造としては、リールシートに形成されたネジ部に可動フードを螺合させることによって行っている（特許文献１参照）。
【０００３】
【特許文献１】実開平６−４１４７３号公報（段落番号〔０００８〕、図２）
【発明の開示】
【発明が解決しようとする課題】
【０００４】
上記したネジ部は、可動フードを螺進させるだけの機能を満足するものとして形成されており、厳密な精度が求められてはいないので、緩み易い欠点があった。
【０００５】
本発明の目的は、可動フードの緩みを抑えることのできるリールシート構造を提供する点にある。
【課題を解決するための手段】
【０００６】
〔構成〕
請求項１に係る発明の特徴構成は、リールシートに形成したネジ部に螺進自在に可動フードを装着するとともに、前記リールシートにおけるリール脚取付部とは竿軸芯を挟んで反対側の面に、弾性材を被覆するとともにその弾性材を前記ネジ部に対してそのネジの形状に沿った状態で被覆してある点にあり、その作用効果は次の通りである。
【０００７】
〔作用〕
つまり、弾性材がネジ部にそのネジの形状に沿った状態で被覆してあるので、弾性材が可動フードのネジ部に接触して移動抵抗を与えるところから、可動フードの緩みが抑制される。
しかも、この弾性材はリールシートにおけるリール脚取付部とは竿軸芯を挟んで反対側の面に取り付けられるものであるが、この部分は釣り人が竿を握って釣り操作を行う場合に、手の掌が当接する部分である。そうすると、手の掌が弾性材に接触することによって、圧迫感等が緩和されることになる。
【０００８】
〔効果〕
したがって、ネジ部に対して精度の高い加工を施すことなく、弾性材をそのネジ部に被覆するだけで、緩み止め効果を高めることができるとともに、その弾性材で握り易く疲れ難いリールシートを構築できるに至った。
【０００９】
請求項２に係る発明の特徴構成は、リールシートにリール脚取付部を有するシートベースと可動フードを螺進自在に装着するネジ部とを形成するとともに、前記シートベースにおけるリール脚取付部とは竿軸芯を挟んで反対側に、前記シートベースの一部と前記ネジ部の一部を切欠いた切欠部を形成し、前記シートベースの一部と前記ネジ部の一部に相当する部分を一体形成した弾性材を前記切欠部に嵌め込み装着してある点にあり、その作用効果は次の通りである。
【００１０】
〔作用効果〕
つまり、シートベースの一部とネジ部の一部とに相当する部分を弾性材で形成できるので、ネジ部に弾性材を被覆する場合よりも、肉厚の弾性材の使用が可能になり剥離等が少なく、安定して可動フードに対する緩み止め効果を発揮する。
【００１１】
請求項３に係る発明の特徴構成は、リールシートが竿材とは別個に構成されるものであり、固定フードと前記ネジ部を一体形成した筒状リールシートである点にあり、その作用効果は次の通りである。
【００１２】
〔作用効果〕
つまり、竿材とは別個にリールシートを形成できるので、ネジ部の形成も竿材とは別に製作管理できて、精密なものは必要ではないながらも、容易に製作できる。
【発明を実施するための最良の形態】
【００１３】
〔第１実施形態〕
海釣り、磯釣り等に使用される釣り竿Ａについて説明する。
釣り竿Ａは、図１に示すように、元竿１に装着されるリールシートＢを、元竿１に外嵌固定される筒状のシートベース２と、シートベース２と一体形成される固定フード３と、シートベース２の後端部に形成されるネジ部４と、そのネジ部４に螺着する可動フード５で構成する。
【００１４】
シートベース２は、ガラス繊維を混入させたナイロン樹脂で固定フード３およびネジ部４とともに一体形成するとともに、同様の樹脂で可動フード５のナット部材５Ａを形成する。可動フード５のフード部分５Ｂは金属製であり、そのフード部分５Ｂの内側にナイロン製の中子５Ｃを備えている。シートベース２としては、ＡＢＳ樹脂等の他のエンジニアリング樹脂で製作してもよい。
【００１５】
図３〜５に示すように、中子５Ｃにはシートベース２の外面に、竿軸線方向に沿って形成した誘導溝７に係合してフード部分５Ｂの円周方向への回転を阻止しながら、可動フード５の竿軸線方向への移動を許容する突片８を形成してある。
このような構成を達成するために、ナット部材５Ａとフード部分５Ｂとは、詳細は図示してはいないが、ナット部材５Ａの先端に形成した環状溝内にフード部分５Ｂから係合片を係合させて、ナット部材５Ａのみ回転可能に構成するとともに一体で竿の軸線方向に移動できるようになっている。
図１に示すように、以上のようなリールシートＢを元竿１の所定位置まで外嵌させて接着固定し、前後端を樹脂の肉盛り部６，６で位置固定するとともに、段差の生じないようにしてある。
【００１６】
図１に示すように、固定フード３と可動フード５でリール１０の脚部１０Ａを支持固定するが、この固定フード３と可動フード５とをリール脚取付部と総称する。そして、そのリール脚取付部の存在する側と竿軸芯Ｘとを挟んで反対側にシート状の弾性材１１を被覆してある。このシート状の弾性材１１はエラストマーやＮＢＲを材料として形成する。図２に示すように、シートベース２に一体形成したネジ部４は角ネジであり、その角ネジの表面に対してそのネジの形状に沿った状態でシート状の弾性材１１が被覆してある。
【００１７】
上記したように、シート状の弾性材１１がネジ部４にそのネジの形状に沿った状態で被覆してあるので、ナット部材５Ａがネジ部に螺合した場合に、ネジの形状に沿った状態で被覆してあるシート状の弾性材がナット部材５Ａの雌ネジ部に対して移動抵抗を付与し、緩み止め効果を持たせている。
このように、図４及び図５に示すように、シートベース２とネジ部４に亘って弾性材１１を被覆してあるので、シートベース部位での握り易さを達成できるとともに、可動フード５の緩みを阻止できることになった。
【００１８】
〔第２実施形態〕
ここでは、シート状の弾性材１１を被覆するのではなく、シートベース２の一部とネジ部４の一部にシート状の部材よりやや厚みのある弾性材１１を嵌め込み固定する構成を採ったものを説明する。図６に示すように、シートベース２におけるリール脚取付部とは竿軸芯Ｘを挟んで反対側に、シートベース２の一部とネジ部４の一部を切欠いた切欠部２ａを形成し、シートベース２の一部とネジ部２の一部に相当する部分を一体形成した弾性材１１を切欠部２ａに嵌め込み装着してある。弾性材１１にはネジ部４の一部を担うネジ部４ｂと誘導溝７とが形成されている。
この構成の場合には、リールシートＢの本体側に形成されたネジ部４ａと弾性材１１に形成されたネジ部４ｂとでネジ部４が形成されることになる。
【００１９】
〔別実施の形態〕
（１）  リールシートＢとしては、筒状のものを竿材とは別個に形成して元竿１に外嵌装着する構成を示したが、別の作成方法を採ってもよい。つまり、図示していないが、シートベース２と固定フード３とネジ部４とを、型を使用したインジェクション成形によって一体形成し、リールシートＢを作成してもよい。このように、インジェクション成形によってリールシートＢを作成すると、元竿１とリールシートＢとの密着性がよく、リール１０の取付けが安定する。
（２）  可動フード５のフード部分５Ｂを、ナット部材５Ａと同様の樹脂材料で構成してもよい。樹脂だけで強度が不足するようであれば、樹脂と金属材料とを抱き合せた複合材料で構成してもよい。
（３）  前記したリールシートＢを適用する釣竿としては、釣糸ガイドを竿の外面に取り付けた外付け式の釣竿だけでなく、糸挿通経路を竿内に形成する中通し竿にも適用可能である。
【図面の簡単な説明】
【００２０】
【図１】リールを装着した状態を示す元竿の側面図
【図２】リールシートのリール脚取付部とは竿軸芯Ｘを挟んで反対側に、シート状の弾性材を被覆した状態を示す縦断側面図
【図３】図２におけるＩＩＩ−ＩＩＩ線断面図
【図４】シート状の弾性材を被覆した状態を示す斜視図
【図５】シート状の弾性材を被覆する前の状態を示す斜視図
【図６】厚みのある弾性材をリールシートに形成した切欠部に嵌め込む前の状態を示す斜視図
【符号の説明】
【００２１】
１            元竿
５            可動フード
８            軟質弾性材製の保持リング
１１          弾性材
Ｂ            リールシート
【図１】
2006187241.tif 000003
【図２】
2006187241.tif 000004
【図３】
2006187241.tif 000005
【図４】
2006187241.tif 000006
【図５】
2006187241.tif 000007
【図６】
2006187241.tif 000008